(57)【要約】　　　（修正有）【課題】本発明は、ロック機構に制約がなく、インクジェットプリンタに適した蓋の開閉構造を提供する。【解決手段】本発明に係る蓋の開閉構造の代表的な構成は、ヒンジ部材を介して、蓋９が、筐体に回動可能に取り付けられており、前記蓋には爪部が、前記筐体には、ロック部材１６が具備され、前記爪部と前記ロック部材は係合可能であり、前記蓋には、前記係合部より反ヒンジ部側に、前記蓋をホップアップさせるためのバネが、前記筐体には、前記係合部より反ヒンジ部側に、前記蓋の開閉検出手段１５が、前記筐体もしくは、前記蓋には、前記蓋のヒンジ部近傍を押し上げるための形状が、具備されていることを特徴とする。【選択図】　　図３
2004055891.tif 000002
【特許請求の範囲】
【請求項１】
ヒンジ部材を介して、蓋が、筐体に回動可能に取り付けられており、前記蓋には爪部が、前記筐体には、ロック部材が具備され、前記爪部と前記ロック部材は係合可能であり、
前記蓋には、前記係合部より反ヒンジ部側に、前記蓋をホップアップさせるためのバネが、
前記筐体には、前記係合部より反ヒンジ部側に、前記蓋の開閉検出手段が、
前記筐体もしくは、前記蓋には、前記蓋のヒンジ部近傍を押し上げるための形状が、具備されていることを特徴とする蓋の開閉構造。
【請求項２】
前記蓋のヒンジ部近傍には、リブが、前記筐体のヒンジ部近傍には、切り欠きが設けられており、前記蓋の爪部とロック部材が係合した状態においては、前記リブが、前記切り欠きに入り込んでいることを特徴とする前記請求項１記載の蓋の開閉構造。
【発明の詳細な説明】
【０００１】
【発明が属する技術分野】
本発明は、インクジェットプリンタに具備されている蓋の開閉構造に関するものである。
【０００２】
【従来の技術】
従来、インクジェットプリンタには、インクタンク交換、ヘッド交換をする為に開閉可能な蓋が具備されていた。その開閉構造は、蓋に軸（もしくは軸受）、筐体に軸受け（もしくは軸）を設け、前記軸を前記軸受けに固定することにより、回動できるようになっていた。さらに、上記開閉構造には、プリンター使用中に蓋が不用意に開けられ、不具合が起こさないようにするため、蓋の開閉検出手段を有するものが多い。
【０００３】
また、上記の形態では、外観形状、蓋の開閉角度に制約が生じる場合がり、蓋を筐体に直接固定するのではなく、任意のヒンジ部材を介して筐体に固定するものがあった。この場合も、プリンター使用中に蓋が不用意に開けられ、不具合が起こさないようにするため、蓋の開閉検出手段を有するものが多い。
【０００４】
上記蓋の開閉構造は、インクジェットプリンタに限ったものではなく、その他の電子機器においても採用されている。その場合は、上記の開閉構造に加えて、任意のロック機構により、蓋が不用意に開かないようになっているものもある。
【０００５】
【発明が解決しようとする課題】
しかしながら、上述した従来の技術では以下の問題があった。上記従来の技術では、プリンター使用中に不用意に蓋が開けられた場合に、不具合が生じないようにするため、蓋の開閉検出手段が、蓋の開閉を検出すると、自動的に任意の処理が動作して、危険を回避するものがあった。しかしながら、この場合は、任意の処理中にインクタンクやヘッド等が外されると、プリンターに回復不能な問題が生じる場合があった。
【０００６】
また、インクジェットプリンタ以外の電子機器で、任意のロック機構により蓋をロックできるものの場合は、ロック機構に制約があり、インクジェットプリンタに適さない等の問題もあった。
【０００７】
そこで本発明は、ロック機構に制約がなく、インクジェットプリンタに適した蓋の開閉構造を提供することを目的とする。
【０００８】
【課題を解決する為の手段】
上記課題を解決するために本発明に係る蓋の開閉構造の代表的な構成は、ヒンジ部材を介して、蓋が、筐体に回動可能に取り付けられており、前記蓋には爪部が、前記筐体には、ロック部材が具備され、前記爪部と前記ロック部材は係合可能であり、前記蓋には、前記係合部より反ヒンジ部側に、前記蓋をホップアップさせるためのバネが、前記筐体には、前記係合部より反ヒンジ部側に、前記蓋の開閉検出手段が、前記筐体もしくは、前記蓋には、前記蓋のヒンジ部近傍を押し上げるための形状が、具備されていることを特徴とする。
【０００９】
【発明の実施の形態】
次に、本発明の実施の形態について図面を参照して説明する。図１は、本発明の実施の形態に係る蓋の開閉構造を有するインクジェットプリンタの外観斜視図である。図１に示すように、本実施の形態のインクジェットプリンタは、上ケース１及び、下ケース２で構成される中空構造体の装置本体３と、装置本体３に着脱可能に取り付けられている給紙カセット４と、電源ＯＮ／ＯＦＦ等各種操作時に使用する操作パネル５と、印字中、記録媒体がジャムした場合に、ジャム処理時に使用するジャム蓋６と、排紙口７上部に装着された排紙蓋８と、インクタンク（不図示）交換時に開閉するインク交換蓋９等を具備している。本発明は、特にインク交換蓋９の開閉構造に関するものであり、図１は、インク交換蓋９が閉じた状態を示している。
【００１０】
次に、図２によりインク交換蓋９が開いた状態にある場合を説明する。図２は、インク交換蓋９が開いた状態にある時を示す外観斜視図である。図２に示すように本実施の形態のインク交換蓋９は、ヒンジ部材１０を介して回動可能に上ケース１に固定されている。さらに、インク交換蓋９が完全に開いた状態では、図２に示すように１８０°回転し、ジャム蓋６に乗っかった状態となる。そのため、ユーザーがインクタンク（不図示）を交換しようとする場合において、インク交換蓋９が、インクタンク交換用レバー１１、１２、１３、１４の操作の妨げとはならない。
【００１１】
次に、本実施の形態の主要部であるインク交換蓋９近傍の構造を説明する。まず、図３により上ケース１に装着されている部材及び、上ケース１の形状に関する説明を行う。図３は、タンク交換蓋９が開いた状態（図２）にある時の主要部である上ケース１を示した斜視図である。上ケース１の手前側には、タンク交換蓋９の開閉を検出するための開閉検出手段であるセンサー１５がネジ（不図示）により固定されている。さらに、センサー１５の後方には、タンク交換蓋９が閉じた状態にある時、タンク交換蓋９をロックするためのカバーロックレバー１６が、上ケース１の側壁に回動可能に取り付けられている（図５参照）。そして、カバーロックレバー１６は、バネ２６（図５参照）により常時矢印１７方向へ回転付勢されている。さらに、カバーロックレバー１６後方の上ケース１には、リブ１８及び、切り欠き１９が設けられている。
【００１２】
次に図４により、タンク交換蓋９に装着されている部材及び、タンク交換蓋９の形状に関する説明を行う。図４は、タンク交換蓋９が開いた状態（図２）にある時の主要部であるタンク交換蓋９を示した斜視図である。タンク交換蓋９には、ヒンジ部材１０を取り付けるための軸受け２０、２１やリブ２２、さらに、上ケース１に取り付けられたカバーロックレバー１６と係合する爪部２３、上ケース１に固定されたセンサー１５を押圧するための凸部２４等が設けされ、さらに、タンク交換蓋９のロックが解除された時に、タンク交換蓋９がホップアップ可能なようにバネ２５が具備されている。
【００１３】
次に、図５を用いて本実施の形態の構造上の特徴を説明する。図５は本実施の形態におけるタンク交換蓋９が閉じた状態にある時の主要部を示した断面図である（図１のＡ−Ａ断面）。タンク交換蓋９が閉じた状態では、タンク交換蓋９に設けられた爪部２３が、上ケース１に取り付けられたカバーロックレバー１６に係合することで開かないようになっている。ここで、タンク交換蓋９が閉じた状態にあるときの各部材等の説明を行なう。タンク交換蓋９のロックのための係合部より下側（図５で）の上ケース１には、蓋の開閉検出センサー１５、さらに、ロックのための係合部より下側のタンク交換蓋９には、蓋をホップアップさせるためのバネ２５が具備されている。
【００１４】
この場合、バネ２５がタンク交換蓋９の手前を付勢しているため、蓋の係合部を回転中心として、タンク交換蓋９の手前側が押し上げられる。結果として、タンク交換蓋９の開閉検出のためのセンサー１５を押圧するための凸部２４も浮き上がり、開閉検出の信頼性が損なわれる。この課題を克服するために、本実施の形態では、タンク交換蓋９に、タンク交換蓋９のロック位置より上側（図５で）で、タンク交換蓋９のヒンジ部近傍にリブ２２を設け、上ケース１に設けたリブ１８で前記リブ２２を押し上げる構造を採用した。
【００１５】
ここで、蓋の押し上げ量は、ホップアップ用のバネ２５が蓋の手前側を押し上げている量より、若干少ない程度で、０．５ｍｍ程である。以上の構造により、タンク交換蓋９の手前側は蓋の係合部を回転中心として矢印２７方向へ押し下げられる。その結果、タンク交換蓋９のセンサー１５を押圧するための凸部２４の浮きも防止できる。
【００１６】
以上により、タンク交換蓋９の開閉検出の信頼性が損なわれることはない。
【００１７】
また、本実施の形態では、インク交換蓋９のヒンジ部側が、必要以上に浮き上がらないようにするため、インク交換蓋９に設けたリブ２２を上ケース１に設けた切り欠き１９に入り込ませる構造としている。そのことにより、タンク交換蓋９が必要以上に浮き上がることを防止している。尚、本実施の形態では、タンク交換蓋９を押し上げるためのリブ１８が、上ケース１に設けられているが、本発明ではその限りではなく、押し上げのためのリブは、上ケース、タンク交換蓋どちらに設けられていても構わない。
【００１８】
【発明の効果】
以上説明したように、本発明は、インクジェットプリンタに具備されたロック機構を有する蓋の開閉構造に関すものである。インクジェットプリンタの外形をなるべく小さくしたいという理由で、本発明では、蓋のロック機構の取り付け位置等多くの制約があった。そのため、蓋の一部がホップアップのためのバネにより浮き上がり、蓋の開閉検出の信頼性が損なわれてしまう問題があった。
【００１９】
上記の問題を解決するために、蓋及び、筐体にリブ、切り欠き等を設け、蓋の浮き上がり部を押し下げる構造とした。結果として、コストに影響することなく簡単な方法で、蓋の開閉検出の信頼性を保つことができた。
【００２０】
さらに、蓋等のモールド部品は、モールド成形で反りが発生し、他部品と合わせた場合に、外観品位が悪い等問題となることが多い。この場合も、本発明によれば、反りによって浮き上がってしまった部分を筐体に設けたリブで、押し下げることができるため、問題を解決できる。
【図面の簡単な説明】
【図１】本発明の実施の形態に係る蓋の開閉構造を有するインクジェットプリンタの外観斜視図である。
【図２】インク交換蓋が開いた状態にある時を示す外観斜視図である。
【図３】タンク交換蓋が開いた状態にある時の主要部である上ケースを示した斜視図である。
【図４】タンク交換蓋が開いた状態にある時の主要部であるタンク交換蓋を示した斜視図である。
【図５】タンク交換蓋が閉じた状態にある時の主要部を示した断面図である。
【符号の説明】
１　上ケース
２　下ケース
３　装置本体
４　給紙カセット
５　操作パネル
６　ジャム蓋
７　排紙口
８　排紙蓋
９　インク交換蓋
１０　ヒンジ部材
１１、１２、１３、１４　インク交換レバー
１５　開閉検出センサー
１６　ロックレバー
１７　矢印
１８　リブ
１９　切り欠き
２０、２１　ヒンジ部
２２　リブ
２３　ロック爪
２４　凸部
２５　ホップアップ用バネ
２６　ロックレバー付勢バネ
２７　矢印
【図１】
2004055891.tif 000003
【図２】
2004055891.tif 000004
【図３】
2004055891.tif 000005
【図４】
2004055891.tif 000006
【図５】
2004055891.tif 000007